(57)【要約】      （修正有）【課題】携帯電話機のような表示部の大きさに制約がある電子機器でも、表示部に設けたタッチパネルから簡単な操作で文字が入力されるようにする。【解決手段】携帯電話機において、第１の複数領域と、第１の複数領域の外側に配置される第２の複数領域とから構成される第３の複数領域を行列表示した表示部と、表示面に対する接触に基づいて、第１の文字と、第１の文字に付随する第２の文字を指定する入力部とを備える。第１の文字を第１の複数領域に１文字ずつ割り当て表示し、第１の複数領域の一に対する接触状態を検出している間、当該第１の文字と、第１の文字に付随する第２の文字を、第３の複数領域において当該一の領域の同列となる上下の二方向および同行となる左右の二方向に表示し、当該第１の文字と、第２の文字のそれぞれに対する指定と指定の解除を受け付け、当該指定が最後に解除された文字を入力する。【選択図】図２
2020144938.tif 000002
【特許請求の範囲】
【請求項１】
情報入力用のタッチパネルを有し、該タッチパネルが所定数の情報入力枠で仕切られている電子機器であって、
複数の情報を所定の前記各情報入力枠に割り当てて表示し、前記各情報が表示されている情報入力枠のいずれかが押下されたとき、この押下された情報入力枠に隣接する情報入力枠に、既に表示されている情報の有無に関わらず、押下された前記情報入力枠に表示されている前記情報に付随するサブ情報を表示し、かつ、押下されてから該押下がリリースされたとき、このリリース直前に押下されていた前記情報入力枠に表示されている前記情報又はサブ情報を入力情報として確定する入力情報確定手段が設けられていることを特徴とする電子機器。
【請求項２】
文字入力用のタッチパネルを有し、該タッチパネルが所定数の文字入力枠で仕切られている電子機器であって、
五十音のうちの「あ」列の各文字を所定の前記各文字入力枠に割り当てて表示し、前記「あ」列の各文字が表示されている文字入力枠のいずれかが押下されたとき、この押下された文字入力枠に隣接する文字入力枠に、既に表示されている文字の有無に関わらず、押下された前記文字入力枠に表示されている前記文字が含まれる文字行の残りの文字を表示し、かつ、押下されてから該押下がリリースされたとき、このリリース直前に押下されていた前記文字入力枠に表示されている文字を入力文字として確定する入力文字確定手段が設けられていることを特徴とする電子機器。
【請求項３】
前記入力文字確定手段は、
押下された前記文字入力枠に表示されている文字に対して、該文字入力枠に隣接する文字入力枠に表示される各文字を、母音の相対的位置関係を固定して表示する構成とされていることを特徴とする請求項２記載の電子機器。
【請求項４】
前記入力文字確定手段は、
押下された前記文字入力枠に表示されている文字に対して、該文字入力枠の上側、下側、左側及び右側に隣接する文字入力枠に表示される各文字を、母音の相対的位置関係を固定して表示する構成とされていることを特徴とする請求項２又は３記載の電子機器。
【請求項５】
前記入力文字確定手段は、
押下された前記文字入力枠に表示されている文字に対して、該文字入力枠の左上側、左下側、右上側及び右下側に隣接する文字入力枠に表示される各文字を、母音の相対的位置関係を固定して表示する構成とされていることを特徴とする請求項２又は３記載の電子機器。
【請求項６】
前記入力文字確定手段は、
押下された前記文字入力枠に表示されている文字と、該文字入力枠に隣接する文字入力枠に表示される各文字との母音の相対的位置関係を任意に設定するための位置関係設定部を有することを特徴とする請求項３、４又は５記載の電子機器。
【請求項７】
情報入力用のタッチパネルを有し、該タッチパネルが所定数の情報入力枠で仕切られている電子機器に用いられる情報入力方法であって、
複数の情報を所定の前記各情報入力枠に割り当てて表示し、前記各情報が表示されている情報入力枠のいずれかが押下されたとき、この押下された情報入力枠に隣接する情報入力枠に、既に表示されている情報の有無に関わらず、押下された前記情報入力枠に表示されている前記情報に付随するサブ情報を表示し、かつ、押下されてから該押下がリリースされたとき、このリリース直前に押下されていた前記情報入力枠に表示されている前記情報又はサブ情報を入力情報として確定することを特徴とする情報入力方法。
【請求項８】
文字入力用のタッチパネルを有し、該タッチパネルが所定数の文字入力枠で仕切られている電子機器に用いられる情報入力方法であって、
五十音のうちの「あ」列の各文字を所定の前記各文字入力枠に割り当てて表示し、前記「あ」列の各文字が表示されている文字入力枠のいずれかが押下されたとき、この押下された文字入力枠に隣接する文字入力枠に、既に表示されている文字の有無に関わらず、押下された前記文字入力枠に表示されている前記文字が含まれる文字行の残りの文字を表示し、かつ、押下されてから該押下がリリースされたとき、このリリース直前に押下されていた前記文字入力枠に表示されている文字を入力文字として確定することを特徴とする情報入力方法。
【請求項９】
押下された前記文字入力枠に表示されている文字に対して、該文字入力枠に隣接する文字入力枠に表示される各文字を、母音の相対的位置関係を固定して表示することを特徴とする請求項８記載の情報入力方法。
【請求項１０】
押下された前記文字入力枠に表示されている文字に対して、該文字入力枠の上側、下側、左側及び右側に隣接する文字入力枠に表示される各文字を、母音の相対的位置関係を固定して表示することを特徴とする請求項８又は９記載の情報入力方法。
【請求項１１】
押下された前記文字入力枠に表示されている文字に対して、該文字入力枠の左上側、左下側、右上側及び右下側に隣接する文字入力枠に表示される各文字を、母音の相対的位置関係を固定して表示することを特徴とする請求項８又は９記載の情報入力方法。
【請求項１２】
押下された前記文字入力枠に表示されている文字と、該文字入力枠に隣接する文字入力枠に表示される各文字との母音の相対的位置関係を任意に設定することを特徴とする請求項９、１０又は１１記載の情報入力方法。
【請求項１３】
コンピュータを請求項１乃至６のいずれか一に記載の電子機器を制御させるためのコンピュータ読み取り可能な情報入力制御プログラム。
【請求項１４】
請求項１乃至６のいずれか一に記載の電子機器の機能を備えた携帯端末装置。
【発明の詳細な説明】
【技術分野】
【０００１】
この発明は、電子機器、該電子機器に用いられる情報入力方法及び情報入力制御プログラム、並びに携帯端末装置に係り、たとえば、タッチパネルから文字が入力されて所定の動作を行う携帯電話機やＰＤＡ（Ｐｅｒｓｏｎａｌ  Ｄｉｇｉｔａｌ  Ａｓｓｉｓｔａｎｔｓ：携帯情報端末）などに適用して好適な電子機器、該電子機器に用いられる情報入力方法及び情報入力制御プログラム、並びに携帯端末装置に関する。
【背景技術】
【０００２】
タッチパネルにより文字入力を行う構成の電子機器では、ひらがなの五十音が全て同タッチパネルに表示される構成が一般的であるが、文字入力用のタッチパネルがディスプレイ部に表示される携帯電話機やＰＤＡなどの携帯用の電子機器では、携帯機器としての性質上、ディスプレイ部の大きさに制約があり、同タッチパネルを表示するための領域の確保が困難である。この対処方法として、文字行（「あ行」、「か行」など）に対応した文字を表示し、たとえば、「あ行」のタッチパネルを決まった回数だけ押下することで、「あ」→「い」→「う」→「え」→「お」のように、入力文字を切り替える方法が取られている。また、キーによる文字入力では、上記と同様に入力文字を切り替える方法の他、「あ行」のキーを１回押下した時点で、「あ」、「い」、「う」、「え」、「お」を選択候補として表示部に表示し、２回目の選択操作で文字を決定する方法もある。
【０００３】
この種の関連する技術としては、たとえば、特許文献１に記載されたかな文字入力装置がある。
【０００４】
このかな文字入力装置では、タッチパネル又はキーボードの複数のキーの１個に５文字が定義され、キーの選択操作と選択した後の操作点乃至操作力の前後左右の移動方向とにより、１文字が選択される。具体的には、キーの１個に５個のかな文字を順序付けて対応させ、操作乃至押下されたキーに基づいて五十音配列の段を選択することにより、かな１文字が選択される。１個のキーに５文字が定義されるので、文字キーの数を大幅に低減でき、したがって、キーの大きさを小さくしなくても、タッチパネルやキーボードの面積を小さくできる。ユーザは、五十音配列に関連付けて入力操作を習得できるので、習得が容易である。
【０００５】
また、特許文献２に記載された液晶タッチパネルを用いた仮名入力方法では、液晶タッチパネルの画面に文字列「あかさたなはまやらわ」が横一列にスーパーインポーズ表示され、この中の１文字にタッチ入力があったのに応動して、そのタッチ文字の下にタッチ文字を含む「あ」行乃至「わ」行のいずれか１行の残りの文字列が縦一列にスーパーインポーズ表示され、横一列中の上記１文字を含む縦一列に並んだ表示文字の中の１文字にタッチ入力することで、その文字が入力される。
【０００６】
また、特許文献３に記載された文字入力装置では、表示部にひらがな入力画面が表示され、ＣＰＵ（中央処理装置）により、タッチパネル及び同タッチパネルを介して表示部の表示面に対するスタイラスペンの接触状態が検出され、その検出結果に基づいて、ひらがな入力画面のひらがな入力キーと対向するタッチパネルの所定領域にスタイラスペンが一点で接触したとき、当該ひらがな入力キーに割り当てた所定文字が入力され、ひらがな入力キーと対向するタッチパネルの所定領域にスタイラスペンが接触したまま移動したとき、異なる文字を入力することにより、ひらがな入力キーに対する格段的に簡単な選択操作が実行されて多数の文字が容易に入力される。
【０００７】
また、特許文献４に記載された文字入力方法では、「あ」行から「わ」行の文字がそれぞれ割り付けられたテンキーによりかな文字を入力する文字入力装置において、各テンキー及び記号キーに、正面からの押し込みを検知する接点と、上下左右からの押し込みを検知する接点とが備えられ、各テンキーにより、正面から入力される「あ」段の文字と上下左右の４方向から入力される「い」段、「う」段、「え」段、「お」段の文字との５文字に対応する信号が出力される。
【先行技術文献】
【特許文献】
【０００８】
【特許文献１】特開２０００−１１２６３６号公報（要約書、図１）
【特許文献２】特開２００２−２２２０５３号公報（要約書、図６）
【特許文献３】特開２００３−１５７１４４号公報（要約書、図４、図１４）
【特許文献４】特開２００６−１７８７５５号公報（要約書、図４）
【発明の概要】
【発明が解決しようとする課題】
【０００９】
しかしながら、上記各文献を含む上記技術では、次のような問題点があった。
【００１０】
すなわち、タッチパネルを押下することで入力文字を切り替える方法では、ユーザが意図した文字を表示する際には何度もキーを押下する必要があるという問題点がある。また、五十音の全てを表示したとしても、文字数が多いため、ユーザが入力したい文字を瞬時に探すことは難しい。また、キーによる文字入力では、ユーザが意図した文字を表示する際には何度もキーを押下する必要がある。
【００１１】
また、特許文献１に記載されたかな文字入力装置では、キーの選択操作と選択した後の操作点乃至操作力の前後左右の移動方向とにより、１文字が選択されるが、この発明とは、構成や処理方法が異なる。
【００１２】
特許文献２に記載された仮名入力方法では、横一列中の１文字を含む縦一列に並んだ表示文字の中の１文字にタッチ入力することで、その文字が入力されるが、この発明とは、構成や処理方法が異なる。
【００１３】
特許文献３に記載された文字入力装置では、ひらがな入力キーに対する選択操作が実行されて多数の文字が容易に入力されるが、この発明とは、構成や処理方法が異なる。
【００１４】
特許文献４に記載された文字入力方法では、各テンキーにより、正面から入力される「あ」段の文字と上下左右の４方向から入力される「い」段、「う」段、「え」段、「お」段の文字との５文字に対応する信号が出力されるが、この発明とは、構成や処理方法が異なる。
【００１５】
この発明は、上述の事情に鑑みてなされたもので、携帯電話機のような携帯機器のように、ディスプレイ部の大きさに制約がある場合でも、簡単な操作でタッチパネルから文字や情報が入力される電子機器、該電子機器に用いられる情報入力方法及び情報入力制御プログラム、並びに携帯端末装置を提供することを目的としている。
【課題を解決するための手段】
【００１６】
上記課題を解決するために、この発明の第１の構成は、情報入力用のタッチパネルを有し、該タッチパネルが所定数の情報入力枠で仕切られている電子機器に係り、複数の情報を所定の前記各情報入力枠に割り当てて表示し、前記各情報が表示されている情報入力枠のいずれかが押下されたとき、この押下された情報入力枠に隣接する情報入力枠に、既に表示されている情報の有無に関わらず、押下された前記情報入力枠に表示されている前記情報に付随するサブ情報を表示し、かつ、押下されてから該押下がリリースされたとき、このリリース直前に押下されていた前記情報入力枠に表示されている前記情報又はサブ情報を入力情報として確定する入力情報確定手段が設けられていることを特徴としている。
【００１７】
この発明の第２の構成は、情報入力用のタッチパネルを有し、該タッチパネルが所定数の情報入力枠で仕切られている電子機器に用いられる情報入力方法に係り、複数の情報を所定の前記各情報入力枠に割り当てて表示し、前記各情報が表示されている情報入力枠のいずれかが押下されたとき、この押下された情報入力枠に隣接する情報入力枠に、既に表示されている情報の有無に関わらず、押下された前記情報入力枠に表示されている前記情報に付随するサブ情報を表示し、かつ、押下されてから該押下がリリースされたとき、このリリース直前に押下されていた前記情報入力枠に表示されている前記情報又はサブ情報を入力情報として確定することを特徴としている。
【発明の効果】
【００１８】
この発明の構成によれば、入力情報確定手段により、複数の情報が所定の各情報入力枠に割り当てて表示され、同各情報が表示されている情報入力枠のいずれかが押下されたとき、この押下された情報入力枠に隣接する情報入力枠に、既に表示されている情報の有無に関わらず、押下された上記情報入力枠に表示されている情報に付随するサブ情報が表示され、かつ、押下されてから同押下がリリースされたとき、このリリース直前に押下されていた情報入力枠に表示されている情報又はサブ情報が入力情報として確定するので、先に押下された情報入力枠及び隣接する情報入力枠からなる狭い領域だけで情報入力を正確に行うことができる。
【図面の簡単な説明】
【００１９】
【図１】この発明の一実施例である電子機器の要部の電気的構成を示すブロック図である。
【図２】図１の携帯電話機１の動作を説明するシーケンス図である。
【図３】図１中のタッチパネル１１で文字が選択される状態を説明する図である。
【図４】図１中のタッチパネル１１で文字が選択される状態の他の例を説明する図である。
【図５】図１中のタッチパネル１１で文字が選択される状態の他の例を説明する図である。
【図６】図１中のタッチパネル１１で文字が選択される状態の他の例を説明する図である。
【発明を実施するための形態】
【００２０】
当該電子機器は、文字入力用のタッチパネルを有し、同タッチパネルが所定数の文字入力枠で仕切られている。そして、五十音のうちの「あ」列の各文字を所定の各文字入力枠に割り当てて表示し、「あ」列の各文字が表示されている文字入力枠のいずれかが押下されたとき、この押下された文字入力枠に隣接する文字入力枠に、既に表示されている文字の有無に関わらず、押下された文字入力枠に表示されている文字が含まれる文字行の残りの文字を表示し、かつ、押下されてから同押下がリリースされたとき、このリリース直前に押下されていた文字入力枠に表示されている文字を入力文字として確定する入力文字確定手段が設けられている電子機器、同電子機器に用いられる情報入力方法及び情報入力制御プログラム、並びに携帯端末装置を提供する。
【００２１】
また、この発明では、上記入力文字確定手段は、押下された上記文字入力枠に表示されている文字に対して、同文字入力枠に隣接する文字入力枠に表示される各文字を、母音の相対的位置関係を固定して表示する構成とされている。
【００２２】
また、この発明では、上記入力文字確定手段は、押下された上記文字入力枠に表示されている文字に対して、同文字入力枠の上側、下側、左側及び右側に隣接する文字入力枠に表示される各文字を、母音の相対的位置関係を固定して表示する構成とされている。
【００２３】
また、この発明では、上記入力文字確定手段は、押下された上記文字入力枠に表示されている文字に対して、同文字入力枠の左上側、左下側、右上側及び右下側に隣接する文字入力枠に表示される各文字を、母音の相対的位置関係を固定して表示する構成とされている。
【００２４】
また、この発明では、上記入力文字確定手段は、押下された上記文字入力枠に表示されている文字と、同文字入力枠に隣接する文字入力枠に表示される各文字との母音の相対的位置関係を任意に設定するための位置関係設定部を有する。
【実施例】
【００２５】
図１は、この発明の一実施例である電子機器の要部の電気的構成を示すブロック図である。
【００２６】
この例の電子機器は、同図に示すように、携帯電話機１であり、表示部１０と、処理装置２０と、文字データベース３０とを有している。表示部１０は、たとえば液晶表示装置などで構成されると共に、文字入力用のタッチパネル１１としての機能を有している。タッチパネル１１は、処理装置２０の入力枠設定信号ｆａにより、所定数の文字入力枠で仕切られ、また、五十音のうちの「あ」列の各文字（「あ、か、さ、た、な、は、ま、や、ら、わ」）を所定の上記各文字入力枠に割り当てて表示する。また、タッチパネル１１は、上記文字入力枠のいずれかが押下されたとき、押下された文字入力枠の位置に対応する位置情報ｄａを出力する。また、タッチパネル１１は、文字データベース３０を更新する操作が行われたとき、データベース更新信号ｃｄを出力する。
【００２７】
処理装置２０は、携帯電話機１全体を制御するコンピュータとしてのＣＰＵ（中央処理装置）２０ａ及び同ＣＰＵ２０ａを動作させるための情報入力制御プログラムが記録されたＲＯＭ（リード・オンリ・メモリ）２０ｂを有している。特に、この実施例では、処理装置２０は、タッチパネル１１に対して入力枠設定信号ｆａを出力することにより、五十音のうちの「あ」列の各文字を所定の各文字入力枠に割り当てて表示し、「あ」列の各文字が表示されている文字入力枠のいずれかが押下されたとき、タッチパネル１１から出力される位置情報ｄａに基づいて、この押下された文字入力枠に隣接する文字入力枠に、既に表示されている文字の有無に関わらず、押下された文字入力枠に表示されている文字が含まれる文字行の残りの文字を表示し、かつ、押下されてから同押下がリリースされたとき、このリリース直前に押下されていた文字入力枠に表示されている文字を入力文字として確定する。
【００２８】
また、処理装置２０は、押下された文字入力枠に表示されている文字に対して、同文字入力枠に隣接する文字入力枠に表示される各文字を、母音の相対的位置関係を固定して表示する。たとえば、表示する文字は、母音の「ｉ」が下側、「ｕ」が左側、「ｅ」が上側、及び「ｏ」が右側などとなるように固定されている。これらの文字の母音の相対的位置関係は、あらかじめ設定されて文字データベース３０に記憶されている。また、押下された文字入力枠に隣接する文字入力枠は、たとえば、押下された文字入力枠の上側、下側、左側及び右側に隣接するか、又は、左上側、左下側、右上側及び右下側に隣接する。また、処理装置２０には、位置関係設定部２１が設けられている。位置関係設定部２１は、タッチパネル１１から出力されるデータベース更新信号ｃｄに基づいて、位置関係設定信号ｃｅを文字データベース３０へ送出して上記相対的位置関係を任意に設定する。
【００２９】
図２は、図１の携帯電話機１の動作を説明するシーケンス図、図３、図４、図５及び図６が、図１中のタッチパネル１１で文字が選択される状態を説明する図である。
【００３０】
これらの図を参照して、この例の携帯電話機１に用いられる情報入力方法の処理内容について説明する。
【００３１】
この携帯電話機１では、五十音のうちの「あ」列の各文字（「あかさ／たなは／まやら／わ」）が、予め設定された各文字入力枠に割り当てられて表示され、同「あ」列の各文字が表示されている文字入力枠のいずれかが押下されたとき、この押下された文字入力枠に隣接する文字入力枠に、既に表示されている文字の有無に関わらず、押下された文字入力枠に表示されている文字が含まれる文字行の残りの文字が表示され、かつ、押下されてから同押下がリリースされたとき、このリリース直前に押下されていた文字入力枠に表示されている文字が入力文字として確定する。
【００３２】
すなわち、図２に示すように、ユーザが、たとえばメール作成など、文字入力を必要とする機能を用いる操作を行ったとき、処理装置２０が起動され（ステップＡ１）、同処理装置２０から、タッチパネル１１に対して入力枠設定信号ｆａが出力され、文字入力枠が設定される（ステップＡ２）。タッチパネル１では、図３（ａ）に示すように、文字入力枠が表示され、予め設定された各文字入力枠に「あ」列の各文字（「あかさ／たなは／まやら／わ」）が割り当てられて表示される（ステップＡ３）。この状態で、たとえば、「あ」が表示されている文字入力枠が押下されたとき（ステップＡ４）、この位置情報ｄａが検出されて処理装置２０に送出される（ステップＡ５）。
【００３３】
処理装置２０では、位置情報ｄａに基づいて文字データベース３０に問合せを行い（ステップＡ６）、文字の相対的位置関係が読み出され（ステップＡ７）、この相対的位置関係に対応した文字情報ｃｎがタッチパネル１に送出される（ステップＡ８）。タッチパネル１では、文字情報ｃｎに対応した文字が表示される（ステップＡ９）。この場合、図３（ｂ）に示すように、押下された文字入力枠に表示されている文字（「あ」）に対して、たとえば、同文字入力枠の下側、左側、上側及び右側に隣接する各文字入力枠に表示される文字（「い、う、え、お」）が、母音の相対的位置関係が予め設定された状態で表示される。この状態で押下をリリースすると（ステップＡ１０）、「あ」が入力文字として確定する（ステップＡ１１）。一方、上記ステップＡ１０で押下をリリースせずに、たとえば、「お」が表示されている文字入力枠を押下し（ステップＡ１２）、「あ」の文字入力枠の押下をリリースしてから「お」の文字入力枠の押下をリリースすると（ステップＡ１３）、図３（ｃ）に示すように、「お」が入力文字として確定する（ステップＡ１４）。
【００３４】
また、図４（ｂ）に示すように、たとえば、「さ」が表示されている文字入力枠が押下されたとき、同文字入力枠の下側、左側、上側及び右側に隣接する各文字入力枠に表示される文字（「し、す、せ、そ」）が、母音の相対的位置関係が図３（ｂ）と同様の状態で表示される。この状態で押下をリリースすると、「さ」が入力文字として確定する一方、押下をリリースせずに、たとえば、「し」が表示されている文字入力枠を押下し、「さ」の文字入力枠の押下をリリースしてから「し」の文字入力枠の押下をリリースすると、図４（ｃ）に示すように、「し」が入力文字として確定する。
【００３５】
また、図５（ｂ）に示すように、「わ」が表示されている文字入力枠が押下されたとき、同文字入力枠の右側に隣接する各文字入力枠に表示される文字（「を」）が、母音の相対的位置関係が図３（ｂ）と同様の状態で表示される。この状態で押下をリリースすると、「わ」が入力文字として確定する一方、押下をリリースせずに、「を」が表示されている文字入力枠を押下し、「わ」の文字入力枠の押下をリリースしてから「を」の文字入力枠の押下をリリースすると、図５（ｃ）に示すように、「を」が入力文字として確定する。
【００３６】
また、タッチパネル１１で文字データベース３０を更新する操作が行われたとき（ステップＢ１）、同タッチパネル１１からデータベース更新信号ｃｄが位置関係設定部２１へ出力される。位置関係設定部２１により、位置関係設定信号ｃｅが文字データベース３０へ送出され、記憶されている文字の母音の相対的位置関係が任意に設定される。この場合、たとえば図６（ｂ）に示すように、押下された文字入力枠に表示されている文字（「あ」）に対して、たとえば、同文字入力枠の左側、左下側、下側及び右下側に隣接する各文字入力枠に表示される文字（「い、う、え、お」）が表示される。この状態で押下をリリースすると、「あ」が入力文字として確定する。一方、この押下をリリースせずに、たとえば、「お」が表示されている文字入力枠を押下し、「あ」の文字入力枠の押下をリリースしてから「お」の文字入力枠の押下をリリースすると、図６（ｃ）に示すように、「お」が入力文字として確定する。
【００３７】
以上のように、この実施例では、「あ」列の各文字（「あかさ／たなは／まやら／わ」）が、予め設定された各文字入力枠に割り当てられて表示され、同「あ」列の各文字が表示されている文字入力枠のいずれかが押下されたとき、この押下された文字入力枠に隣接する文字入力枠に、既に表示されている文字の有無に関わらず、押下された文字入力枠に表示されている文字が含まれる文字行の残りの文字が表示され、かつ、押下されてから同押下がリリースされたとき、このリリース直前に押下されていた文字入力枠に表示されている文字が入力文字として確定するので、５×６の文字入力枠からなる狭い領域だけで文字入力を正確に行うことができる。また、１つの文字を入力する場合に同一の文字入力枠を複数回押下する必要がないので、たとえば、本来３回押下すべきところを４回押下するというような操作ミスが発生することもない。
【００３８】
また、図５において、「わ」の下側の列に文字入力枠を設けないものとすれば、５×５の文字入力枠からなる領域だけで文字入力を行うことができる。また、図６において、「あ」の上側の列及び「わ」の下側の列に文字入力枠を設けないものとすれば、５×４の文字入力枠からなる領域だけで文字入力を行うことができる。また、「あ」列の各文字（「あかさ／たなは／まやら／わ」）毎に該当する文字行に対応する文字が表示されるので、ユーザが入力したい文字を瞬時に探すことができる。また、押下された文字入力枠に表示されている文字に対して、同文字入力枠に隣接する文字入力枠に表示される各文字が、母音の相対的位置関係が固定されて表示されるので、常に、定型的な１アクション又は２アクションで正確に文字入力が行われる。また、基本的には、一般的な携帯電話機の文字入力方法が踏襲されるため、ユーザが新たに入力方法を学習する必要がない。また、位置関係設定部２１により、母音の相対的位置関係が任意に設定されるので、ユーザの好みに応じた位置関係が設定され、操作性が向上する。
【００３９】
以上、この発明の実施例を図面により詳述してきたが、具体的な構成は同実施例に限られるものではなく、この発明の要旨を逸脱しない範囲の設計の変更などがあっても、この発明に含まれる。
【００４０】
たとえば、上記実施例では、タッチパネル１１により文字が入力されるが、文字入力枠に代えて情報入力枠を設け、たとえばメニューなどの情報の選択を行うようにしても良い。
【００４１】
この場合、複数の情報を各情報入力枠に割り当てて表示し、各情報が表示されている情報入力枠のいずれかが押下されたとき、この押下された情報入力枠に隣接する情報入力枠に、既に表示されている情報の有無に関わらず、押下された同情報入力枠に表示されている情報に付随するサブ情報を表示する（請求項１又は７に対応）。
【産業上の利用可能性】
【００４２】
この発明は、携帯電話機に限らず、情報や文字を入力するためのタッチパネルを有する電子機器全般に適用でき、特に、タッチパネルの大きさに制約がある携帯機器などに用いて有効である。
【符号の説明】
【００４３】
１      携帯電話機（電子機器、携帯端末装置）
１０    表示部（電子機器の一部、入力情報確定手段の一部、入力文字確定手段の一部）
１１    タッチパネル
２０    処理装置（入力情報確定手段の一部、入力文字確定手段の一部）
２０ａ  ＣＰＵ（中央処理装置）（入力情報確定手段の一部、入力文字確定手段の一部）
２０ｂ  ＲＯＭ（リード・オンリ・メモリ）（入力情報確定手段の一部、入力文字確定手段の一部）
２１    位置関係設定部（入力文字確定手段の一部）
３０    文字データベース（入力文字確定手段の一部）
【図１】
2020144938.tif 000003
【図２】
2020144938.tif 000004
【図３】
2020144938.tif 000005
【図４】
2020144938.tif 000006
【図５】
2020144938.tif 000007
【図６】
2020144938.tif 000008
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
タッチパネルへの接触を検出し、前記タッチパネルを有する表示部と、
少なくとも１つの処理部及び前記少なくとも１つの処理部で実行されるプログラム命令を保持するコンピュータ読み取り可能なメモリを含む制御部と、を含み、
前記制御部は、
前記表示部に複数の第１の文字及び複数の第２の文字を表示し、
各前記複数の第１の文字には、２以上の前記複数の第２の文字が関連づけられ、
前記複数の第１の文字の１つに関連づけられた各前記２以上の第２の文字は、それぞれ異なる種類の母音を有し、
前記複数の第１の文字を１文字ずつ割り当てることにより複数の第１の領域に前記複数の第１の文字を表示し、
前記複数の第１の文字のうちの１つが表示されている前記複数の第１の領域のうちの１つの領域に対する接触を検出した際、前記第１の領域に表示された前記第１の文字を指定し、かつ前記第１の領域に隣接する上、下、左、右の領域の２以上に前記第１の文字に関連づけられた２以上の第２の文字をそれぞれ表示し、前記２以上の第２の文字は、前記２以上の第２の文字の母音の種類に応じて前記上、下、左、右の領域の２以上に割り当てられ、
２以上の第２の文字が表示される上、下、左、右の領域の１つが、前記複数の第１の領域のうち前記接触を検出した以外の１つであるとき、当該第１の領域に表示されていた第１の文字を表示することなく、上、下、左、右の領域の前記１つに前記２以上の第２の文字の前記１つを表示する、
ように前記少なくとも１つの処理部を制御する、
携帯端末装置。
【請求項２】
前記複数の第１の文字は、「あ」、「か」、「さ」、「た」、「な」、「は」、「ま」、「や」、「ら」、及び「わ」の文字を含み、
前記「あ」、前記「か」、前記「さ」の文字を横一列に並べて表示し、
前記「た」、前記「な」、前記「は」の文字を前記「あ」、前記「か」、前記「さ」の文字の並びの下に横一列に並べて表示し、
前記「ま」、前記「や」、前記「ら」の文字を前記「た」、前記「な」、前記「は」の文字の並びの下に横一列に並べて表示し、
前記「わ」の文字を前記「ま」、前記「や」、前記「ら」の文字の並びの下に表示する、
請求項１に記載の携帯端末装置。
【請求項３】
前記表示された第１の文字の「い」列に対応する第２の文字を前記上、下、左、右の領域のうちの第Ａの領域に表示し、
前記表示された第１の文字の「う」列に対応する第２の文字を前記上、下、左、右の領域のうちの第２の領域であって、前記第１の領域とは異なる第Ｂの領域に表示し、
前記表示された第１の文字の「え」列に対応する第２の文字を前記上、下、左、右の領域のうちの第Ｃの領域であって、前記第Ａの領域及び前記第Ｂの領域とは異なる第Ｃの領域に表示し、
前記表示された第１の文字の「お」列に対応する第２の文字を前記上、下、左、右の領域のうちの第Ｄの領域であって、前記第Ａの領域、前記第Ｂの領域及び前記第Ｃの領域とは異なる第Ｄの領域に表示する、
請求項１から２のいずれか１項に記載の携帯端末装置。
【請求項４】
前記第１の文字は、同じ子音を持つ文字のグループの代表文字である、
請求項１から３のいずれか１項に記載の携帯端末装置。
【請求項５】
前記第１の領域から上、下、左、右の領域への接触の位置の変更を検出したときに接触の位置の変更を検出し、接触を検出している間に指定を前記第１の文字から前記２以上の第２の文字の１つに変更し、
前記タッチパネルの接触のリリースの検出に応答して、前記リリースのときに指定されている前記２以上の第２の文字の前記１つを入力する、
請求項１から４のいずれか１項に記載の携帯端末装置。
【請求項６】
表示部のタッチパネルへの接触を検出し、
前記表示部に複数の第１の文字及び複数の第２の文字を表示し、
各前記複数の第１の文字には、２以上の前記複数の第２の文字が関連づけられ、
１の前記複数の第１の文字に関連づけられた各前記２以上の第２の文字は、それぞれ異なる種類の母音を有し、
前記複数の第１の文字を１文字ずつ割り当てることにより複数の第１の領域に前記複数の第１の文字を表示し、
前記複数の第１の文字のうちの１つが表示されている前記複数の第１の領域のうちの１つの接触を検出した際、前記第１の領域に表示された前記第１の文字を指定し、かつ前記第１の領域に隣接する上、下、左、右の領域の２以上に前記第１の文字に関連づけられた２以上の第２の文字をそれぞれ表示し、前記２以上の第２の文字は、前記２以上の第２の文字の母音の種類に応じて前記上、下、左、右の領域の２以上に割り当てられ、
２以上の第２の文字が表示される上、下、左、右の領域の１つが、前記複数の第１の領域のうち前記接触を検出した以外の１つであるとき、当該第１の領域に表示されていた第１の文字を表示することなく、上、下、左、右の領域の前記１つに前記２以上の第２の文字の前記１つを表示する、
情報入力方法。